【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
第１および第２の表面を有する非導電性材料で構成された固相支持体、
前記固相支持体の前記第１の表面に取り付けられた電子送信器、
前記固相支持体の前記第１の表面に押し付けられた前記電子送信器に連結されたトレースアンテナ、
湿りの存在を検出するための前記固相支持体の前記第２の表面上に押し付けられた電気回路、
前記電子送信器および前記電気回路と連絡しているマイクロコントローラ、
前記マイクロコントローラ、電子送信器および電気回路に接続されている電源、および
前記電源に連結されており、前記マイクロコントローラと連絡している、前記電源の低電力供給を検出するための電圧検出デバイス
を備える湿りセンサー；
前記湿りセンサーをシステムの１つ以上の構成要素に取り付けるための取り付けデバイス；ならびに
前記湿りセンサーと連絡しており、
前記湿りセンサーからの１つ以上のシグナル送信を検出するための受信器、
前記受信器と連絡しているコントローラ、および
前記コントローラと連絡している警報システム
を備える受信器ユニット
を備える、システム内の液体漏れを検出するための湿り検出器システム。
【請求項２】
湿りセンサーがシステムの１つ以上の液体ラインに取り付けられ、システムが体外血液処理システムであり、湿りセンサーが、液圧ホース、透析物を運ぶためのラインおよび血液を運ぶためのラインからなる群より選択される１つ以上の液体ラインに取り付けられる、請求項１記載の湿り検出器システム。
【請求項３】
金属、ポリマー、シリコンおよびカーボンからなる群より選択される１種類以上の導電性材料で構成された２つの電極で構成される湿りセンサーの電気回路の湿気への曝露により、検出可能な電気シグナルが生成される、請求項２記載の湿り検出器システム。
【請求項４】
前記マイクロコントローラは、一定の時間間隔の間、検出可能な電気シグナルが生成されない場合、湿りセンサーが一定の時間、低電力状態に入るように指令する、請求項３記載の湿り検出器システム。
【請求項５】
電気シグナルが前記マイクロコントローラによって受信され、前記マイクロコントローラが、シグナルが所定の湿り検出閾値より大きいかどうかを決定し、ここで、所定の値より大きい湿り検出閾値は湿りの存在を示し、湿りが存在するという表示に応答して、前記マイクロコントローラが、前記電子送信器に、液体ライン漏れが検出されたという少なくとも１つのシグナルを送信するように指令する、請求項４記載の湿り検出器システム。
【請求項６】
湿りセンサーが、針挿入部位を囲む吸収性材料に取り付けられる、請求項１記載の湿り検出器システム。
【請求項７】
針挿入部位を囲む吸収性材料に取り付けられた湿りセンサーが、さらに、湿りセンサー固相支持体の前記第２の表面に取り付けられた血液の存在を検出するための照明デバイスで構成され、発光器および光検出器で構成される該照明デバイスは、前記電源に接続されており、前記マイクロコントローラと連絡している、請求項５記載の湿り検出器システム。
【請求項８】
前記発光器が、光を、前記針挿入部位を囲む吸収性材料上に指向し、該光が前記吸収性材料に反射されて前記光検出器に戻り、ここで、反射されて前記光検出器に戻った光の減少は、存在する湿りが血液であることを示し、前記光検出器が波長較正光ダイオードである、請求項７記載の湿り検出器システム。
【請求項９】
湿りが存在するという表示に応答して、マイクロコントローラが発光器に可視光または近赤外光を生成するように指令し、ここで、前記光ダイオードによって検出される約520ナノメートル(nm)〜610nmまたは約740nm〜820nmの波長は、存在する湿りが血液であることを示す、請求項８記載の湿り検出器システム。
【請求項１０】
一定の時間間隔の間、存在する湿りが血液であるという表示がないことに応答して、マイクロコントローラは、湿りセンサーに一定の時間、低電力状態に入るように指令する、請求項９記載の湿り検出器システム。
【請求項１１】
存在する湿りが血液であるという表示に応答して、前記マイクロコントローラは前記電子送信器に、針挿入部位の血液漏れが検出されたという少なくとも１つのシグナルを送信するように指令する、請求項１０記載の湿り検出器システム。
【請求項１２】
湿りセンサーからの少なくとも１つの液体漏れのシグナルの送信が前記受信器ユニットの受信器によって受信され、前記少なくとも１つのシグナルに応答して、前記受信器ユニットのコントローラが、警告メッセージの表示、可聴アラーム、可視アラームおよび物理的警報からなる群より選択される１つ以上のアラームで構成される前記警報システムを起動させる、請求項１１記載の湿り検出器システム。
【請求項１３】
受信器ユニットが１つ以上の湿りセンサーと連絡しており、ここで、１つ以上の湿りセンサーのそれぞれが、前記受信器ユニットの受信器に、前記受信器ユニットのコントローラに記録された特有の識別情報を送信する、請求項１２記載の湿り検出器システム。
【請求項１４】
前記受信器ユニットが、オペレータに１つ以上の湿りセンサーを作動するように促す１つ以上のメッセージを表示するダイアログボックスを備え、ここで、１つ以上の湿りセンサーの特有の識別情報が受信器ユニットのコントローラによって記録された場合、１つ以上の湿りセンサーは作動している、請求項１３記載の湿り検出器システム。
【請求項１５】
１つ以上の湿りセンサーが、さらに湿りセンサー受信器で構成され、受信器ユニットが、さらに受信器ユニット送信器で構成される、請求項１３記載の湿り検出器システム。
【請求項１６】
受信器ユニット送信器は、一定の時間間隔毎に、前記湿りセンサー受信器によって受信される機能性試験シグナルを１つ以上の湿りセンサーに送信し、前記シグナルに応答して、湿りセンサーは機能性確認シグナルを逆に受信器ユニットに送信し、それにより湿りセンサーが機能性であることが示される、請求項１５記載の湿り検出器システム。
【請求項１７】
湿りセンサーが機能性であり、一定の時間間隔の間、１つ以上の湿りセンサーから少なくとも１つの液体漏れのシグナルの送信がないことに応答して、受信器ユニットが湿りセンサーに、湿りセンサーが一定の時間、低電力状態に入るように指令するシグナルを送信する、請求項１６記載の湿り検出器システム。
【請求項１８】
前記受信器ユニットが体外血液処理システム操作ユニットと一体化されており、体外血液処理が、酸素付加、解毒、輸血および濾過からなる群より選択される、請求項１７記載の湿り検出器システム。
【請求項１９】
１つ以上の湿りセンサーからの少なくとも１つの液体漏れのシグナルが受信器ユニットによって受信され、前記少なくとも１つのシグナルに応答して、前記受信器ユニットのコントローラは、体外血液処理システム操作ユニットが１つ以上のポンプを停止するか、または体外血液処理システムの１つ以上の血液ライン弁を閉じるように指令する、請求項１８記載の湿り検出器システム。
【請求項２０】
湿りセンサーが、さらに、湿りセンサーの湿り検出状態を、湿りの存在がもはや表示されない状態に戻すためのリセットデバイスで構成される、請求項１９記載の湿り検出器システム。
【請求項２１】
コントローラが外部オペレータによって指示されて１つ以上のアラームを停止すること、湿りセンサーリセットデバイスが起動されること、および湿気が湿りセンサー表面から除去されることからなる群より選択される１つ以上の後に、警報システムがリセットされる、請求項２０記載の湿り検出器システム。
【請求項２２】
湿りセンサーの電源が電池であり、前記電圧検出デバイスによって検出された電圧が一定の電圧より低い場合、マイクロコントローラが低電池アラームを起動させる、ここで、湿りの存在は湿りセンサーによって表示されない、請求項２１記載の湿り検出器システム。
【請求項２３】
低電池アラームが受信器ユニットまたは湿りセンサーと一体化されており、可聴アラーム、可視アラームまたはその組合せで構成され、ここで、低電池アラームは警報システムの１つ以上のアラームと異なる、請求項２２記載の湿り検出器システム。
【請求項２４】
マイクロコントローラは、電子送信器に、電池の電圧が低いという少なくとも１つのシグナルを受信器ユニットに送信するように指令し、前記少なくとも１つのシグナルに応答して、受信器は、コントローラに前記低電池アラームを起動するように指令する、請求項２３記載の湿り検出器システム。